(57)【要約】【課題】山笠状に変形した光ディスクを排出する場合でも、引っ掛かりなく光ディスクを確実に排出することができる光ディスク装置を提供する。【解決手段】光ディスク装置１は、スロット２３ａから挿入された光ディスクを装着して回転駆動する回転駆動部３と、このスロット２３ａに近接して設けられて光ディスクを搬送する搬送ローラと、筐体２内部の後方に設けられて光ディスクの挿入及び排出時に、光ディスクを案内するアシスト駆動アーム７４を備える。搬送ローラは、光ディスクの挿入時に、光ディスクをアシスト駆動アーム７４と協働して回転駆動部３へ搬送する。光ディスクの排出時には、搬送ローラは光ディスクの前端を下方から持ち上げ、アシスト駆動アーム７４は光ディスクの後端を下方から持ち上げて、これらのアシスト駆動アーム７４と搬送ローラが連動して光ディスクをスロット２３ａへ搬送する。【選択図】図１
2010073254.tif 000002
【特許請求の範囲】
【請求項１】
前面に光ディスクを出し入れするためのスロットが設けられた筐体と、
前記筐体内に設けられ、前記スロットから挿入された光ディスクを装着して回転駆動する回転駆動部と、
前記スロットに近接して設けられ、前記光ディスクを搬送する搬送ローラと、
前記筐体の後方に設けられ、前記光ディスクの挿入及び排出時に、該光ディスクを案内する補助部材とを有し、
前記搬送ローラは、
前記光ディスクの挿入時に、該光ディスクを前記補助部材と協働して前記回転駆動部へ搬送し、前記光ディスクの排出時には、該光ディスクを下方から持ち上げて前記補助部材
と協働して前記スロットへ搬送するように構成され、
前記補助部材は、
前記光ディスクの挿入時に、該光ディスクを前記搬送ローラと協働して前記回転駆動部へ搬送し、前記光ディスクの排出時には、該光ディスクの端部を下方から持ち上げて前記搬送ローラと協働して前記スロットへ搬送するように構成される、
ことを特徴とする光ディスク装置。
【請求項２】
前記補助部材の移動経路を形成するガイド部材と、
前記補助部材を前記移動経路に沿って移動させるアシスト駆動部と、
を備えることを特徴とする請求項１に記載の光ディスク装置。
【請求項３】
前記ガイド部材は、
外枠と内板の２つの部材間に、前記補助部材の端部を係合して移動させるための前記移動経路として形成された枠状の溝と、
前記補助部材が前記移動経路に沿って１方向だけに移動するように逆方向の移動を抑止する方向規制部材と、
を有することを特徴とする請求項２に記載の光ディスク装置。
【請求項４】
前記スロットに近接して設けられ、前記光ディスクの挿入及び排出を検出する第１の検出器と、
前記補助部材が前記光ディスクの挿入を待機する待機位置にあることを検出する第２の検出器と、
前記光ディスクが前記回転駆動部に装着されている間、前記補助部材が前記光ディスクから待避する待避位置に到達する直前に、該補助部材が該待避位置に到達する直前の位置にあることを検出する第３の検出器と、
前記第１乃至第３の検出器の検出信号に基づいて制御を行う制御部と、
前記光ディスクの排出指示を入力する指示入力部とを備え、
前記制御部は、
前記第１の検出器が前記光ディスクの挿入を検出したときには、前記光ディスクが前記回転駆動部へ向かう方向に前記搬送ローラを回転駆動し、
前記第２の検出器が前記補助部材の前記待機位置からの移動を検出したときには、前記アシスト駆動部を駆動し、
前記第３の検出器が前記補助部材の前記待避位置直前の位置への到達を検出したときには、前記搬送ローラを停止すると共に該搬送ローラを前記光ディスクから待避させ、前記補助部材が待避位置に到達するまで前記アシスト駆動部を駆動した後で停止させ、
前記指示入力部に排出指示が入力されたときには、前記搬送ローラを前記光ディスクに当接させて該光ディスクを排出する方向に該搬送ローラを回転駆動すると共に、前記アシスト駆動部を駆動し、
前記第２の検出器が前記補助部材の前記待機位置への到達を検出したときには、前記アシスト駆動部の動作を停止し、
前記第１の検出器が前記光ディスクの排出を検出したときには、前記搬送ローラを停止する、
ことを特徴とする請求項２または３に記載の光ディスク装置。
【請求項５】
前記アシスト駆動部は、
一方の端部を前記筐体下部に揺動可能に連結され、長手方向にカム穴を備える駆動アームと、
前記カム穴に係合されたピンを側面に備える歯車と、
前記歯車と噛合して該歯車を１方向に回転駆動する駆動歯車とを有し、
前記駆動歯車によって前記歯車が回転駆動されると前記駆動アームが揺動され、前記補助部材の端部が前記ガイド部材の溝に沿って移動される、
ことを特徴とする請求項３又は４に記載の光ディスク装置。
【請求項６】
前記駆動アームの他方の端部と前記カム穴に係合した前記補助部材の端部との間に、前記補助部材の端部を前記駆動アームの他方の端部に近づく方向に付勢するバネが設けられ、
前記光ディスクの排出時に、前記バネの弾性力によって前記補助部材が上方に持ち上げられる、
ことを特徴とする請求項５に記載の光ディスク装置。
【発明の詳細な説明】
【技術分野】
【０００１】
本発明は、スロットイン型の光ディスク装置に関する。
【背景技術】
【０００２】
車載用等に使用される光ディスク装置は、小型化を図るために、前面のパネルに設けられたスロットから光ディスクを出し入れするスロットイン型のものが使用されることが多い。また、車載用の光ディスク装置は、使用される環境が高温であるため、光ディスクの信号記録面とディスクラベル面の熱膨張率の相違により、光ディスクが変形することがある。光ディスクの変形としては、信号記録面を下にしたときに、中心部が浮き上がる山笠状や、周辺部が浮き上がるすり鉢状となることが多い。
【０００３】
変形した光ディスクをスロットイン型の光ディスク装置に挿入する場合、手動でアシストすることができるので、ローディングできない等の問題は比較的起こりにくい。一方、光ディスクを排出する場合は、手動でアシストできず、装置内部で引っかかる不具合が発生し易い。すり鉢状に変形した光ディスクを排出する場合は、光ディスクが、引っかかりの原因となるターンテーブルとの最小間隙部分を排出動作開始直後に通過するので、不具合発生に至らない場合が多い。しかし、山笠状に変形した光ディスクを排出する場合は、排出動作によって光ディスク全体がターンテーブルに接近するようなガイド構造のため、引っかかりによる不具合の発生頻度が高くなる。
【０００４】
下記特許文献１には、ディスクと周辺部品との接触による光ディスクの排出異常を検出するためのイジェクト異常検出手段と、排出異常が検出された際に光ディスクを後退させてから再度排出方向に搬送するスイッチバック制御を行う搬送制御手段が設けられたスロットイン型ディスク装置が開示されている。
【０００５】
【特許文献１】特開２００７−３３４９５３号公報
【発明の開示】
【発明が解決しようとする課題】
【０００６】
しかしながら、特許文献１に開示されている光ディスク装置は、制御機構が複雑である。また、光ディスクが山笠状に変形すると、特許文献１に記載されたスイッチバック制御を行っても、排出異常が繰り返し発生することになってしまう。
【０００７】
本発明はかかる問題点に鑑みてなされたもので、変形した光ディスク、特に山笠状に変形した光ディスクを排出する場合でも、引っかりなく光ディスクを確実に排出することができる光ディスク装置を提供することを目的とする。
【課題を解決するための手段】
【０００８】
上記目的を達成するために、本発明に係る光ディスク装置は、
前面に光ディスクを出し入れするためのスロットが設けられた筐体と、前記筐体内に設けられ、前記スロットから挿入された光ディスクを装着して回転駆動する回転駆動部と、前記スロットに近接して設けられ、前記光ディスクを搬送する搬送ローラと、前記筐体の後方に設けられ、前記光ディスクの挿入及び排出時に、該光ディスクを案内する補助部材とを有し、前記搬送ローラは、前記光ディスクの挿入時に、該光ディスクを前記補助部材と協働して前記回転駆動部へ搬送し、前記光ディスクの排出時には、該光ディスクを下方から持ち上げて前記補助部材と協働して前記スロットへ搬送するように構成され、
前記補助部材は、前記光ディスクの挿入時に、該光ディスクを前記搬送ローラと協働して前記回転駆動部へ搬送し、前記光ディスクの排出時には、該光ディスクの端部を下方から持ち上げて前記搬送ローラと協働して前記スロットへ搬送するように構成されることを特徴とする。
【０００９】
前記光ディスク装置は、前記補助部材の移動経路を形成するガイド部材と、前記補助部材を前記移動経路に沿って移動させるアシスト駆動部とを備えることが好ましい。
【００１０】
また、前記ガイド部材は、外枠と内板の２つの部材間に、前記補助部材の端部を係合して移動させるための前記移動経路として形成された枠状の溝と、前記補助部材が前記移動経路に沿って１方向だけに移動するように逆方向の移動を抑止する方向規制部材とを有することが好ましい。
【００１１】
更に、前記光ディスク装置は、前記スロットに近接して設けられ、前記光ディスクの挿入及び排出を検出する第１の検出器と、前記補助部材が前記光ディスクの挿入を待機する待機位置にあることを検出する第２の検出器と、前記光ディスクが前記回転駆動部に装着されている間、前記補助部材が前記光ディスクから待避する待避位置に到達する直前に、該補助部材が該待避位置に到達する直前の位置にあることを検出する第３の検出器と、前記第１乃至第３の検出器の検出信号に基づいて制御を行う制御部と、前記光ディスクの排出指示を入力する指示入力部とを備え、
前記制御部は、
前記第１の検出器が前記光ディスクの挿入を検出したときには、前記光ディスクが前記回転駆動部へ向かう方向に前記搬送ローラを回転駆動し、
前記第２の検出器が前記補助部材の前記待機位置からの移動を検出したときには、前記アシスト駆動部を駆動し、
前記第３の検出器が前記補助部材の前記待避位置直前の位置への到達を検出したときには、前記搬送ローラを停止すると共に該搬送ローラを前記光ディスクから待避させ、前記補助部材が待避位置に到達するまで前記アシスト駆動部を駆動した後で停止させ、
前記指示入力部に排出指示が入力されたときには、前記搬送ローラを前記光ディスクに当接させて該光ディスクを排出する方向に該搬送ローラを回転駆動すると共に、前記アシスト駆動部を駆動し、
前記第２の検出器が前記補助部材の前記待機位置への到達を検出したときには、前記アシスト駆動部の動作を停止し、
前記第１の検出器が前記光ディスクの排出を検出したときには、前記搬送ローラを停止するように構成することができる。
【００１２】
更に、前記アシスト駆動装置は、一方の端部を前記筐体下部に揺動可能に連結され、長手方向にカム穴を備える駆動アームと、前記カム穴に係合されたピンを側面に備える歯車と、前記歯車と噛合して該歯車を１方向に回転駆動する駆動歯車とを有し、前記駆動歯車によって前記歯車が回転駆動されると前記駆動アームが揺動され、前記補助部材の端部が前記ガイド部材の溝に沿って移動されるように構成することができる。
【００１３】
更に、前記駆動アームの他方の端部と前記カム穴に係合した前記補助部材の端部との間に、前記補助部材の端部を前記駆動アームの他方の端部に近づく方向に付勢するバネが設けられ、前記光ディスクの排出時に、前記バネの弾性力によって前記補助部材が上方に持ち上げられるように構成することができる。
【発明の効果】
【００１４】
本発明によれば、山笠状に変形した光ディスクを排出する場合にも引っ掛かりなく光ディスクを排出することができる。
【発明を実施するための最良の形態】
【００１５】
以下、本発明の実施形態について添付の図面を参照して詳細に説明する。
〔第１の実施形態〕
図１に示すように、第１の実施形態の光ディスク装置１の筐体２は、左右２枚の側板２１、下板２２、前面板２３及び上板２４から構成され、全体として箱状をなす。前面板２３には、光ディスクを出し入れするための細長い開口部であるスロット２３ａが設けられている。筐体２は車両等に備えられたセット内に固定されて、装備される。
【００１６】
下板２２には、中央部近傍にモータ３１とターンテーブル３２からなる回転駆動部３が設けられている。光ディスクはターンテーブル３２の上に載置され、モータ３１によってターンテーブル３２と共に回転されるようになっている。
【００１７】
前面板２３には、光ディスク装置１内の光ディスクを排出する指示入力部としてイジェクトボタン４が前面板２３の外面から突出して設けられている。筐体２内の上方には、スロット２３ａに近接して検出器８１が設けられている。検出器８１は、光ディスクの挿入及び排出時に、光ディスクの端部を検出するものである。
【００１８】
また、図２に示すように、筐体２内の上方に、ディスクガイド５が設けられている。ディスクガイド５には、光ディスク装置１の前後方向に２つの滑らかな傾斜面が設けられている。即ち、ディスクガイド５の前端はスロット２３ａから滑らかに下方に傾斜し、このディスクガイド５の後端はターンテーブル３２へ向けて滑らかに上方に傾斜している。
【００１９】
ディスクガイド５の下方には、下板２２の内面に搬送ローラ６１が設けられている。搬送ローラ６１は、光ディスクの信号記録面（図の下側の面）と接触して回転することにより、この光ディスクを搬送するものである。搬送ローラ６１は、ローラレバー６２の一方の端部に回転可能に連結されている。更に、ローラレバー６２の他方の端部は、下板２２に揺動軸６２ａで連結されている。ローラレバー６２の揺動軸６２ａは、側板２１に対して垂直である。そして、揺動軸６２ａを中心にローラレバー６２を揺動することにより、搬送ローラ６１が上昇・下降することができるようになっている。
【００２０】
また、搬送ローラ６１の上昇位置に近接して、駆動ローラ６３が側版１に対して垂直に軸を連結されている。駆動ローラ６３は、搬送ローラ６１が上昇した位置において、この搬送ローラ６１の端部に接触して、搬送ローラ６１を回転駆動するものである。なお、駆動ローラ６３は、光ディスクの搬送の障害とならないように、この光ディスクの搬送経路の外側に配置されている。
【００２１】
更に、この光ディスク装置１は、光ディスクの挿入時に、光ディスクを搬送ローラ６１と協働して回転駆動部３へ搬送し、光ディスクの排出時には、光ディスクの端部を下方から持ち上げて搬送ローラ６１と協働してスロット２３ａへ搬送する補助部材７が設けられている。
【００２２】
補助部材７は、光ディスクの移動を補助するディスクアシストバー７１、このディスクアシストバー７１の移動を誘導するガイド部材７２、ディスクアシストバー７１を動かすアシスト駆動アーム７４、このアシスト駆動アーム７４を駆動するアシスト駆動ギア７５等で構成されている。
【００２３】
２枚の側版２１のそれぞれの内面には、ターンテーブル３２よりも後方の位置に、外枠７２ａと内板７２ｂで構成されたガイド部材７２が固定されている。そして、外枠７２ａと内板７２ｂの間には、一定幅のガイド溝７２ｃが形成されている。内板７２ｂは、ほぼ同一の平行四辺形の板を上下方向に２枚並べ、下側の板を光ディスク装置１の後方側にずらして繋げた板材である。また、この内板７２ｂの上底及び下底は、光ディスク装置１の下板２２と上板２４の面に平行で、斜辺はこの光ディスク装置１の上前方から下後方にかけて傾斜している。
【００２４】
また、ガイド溝７２ｃは最上部の最前部において、光ディスク装置１の前面側に若干延出され、待機位置Ｓが設けられている。また、ガイド溝７２ｃには最下端部の途中に待避位置Ｐが設けられている。対向する側板２１に近接して形成された２つのガイド溝７２ｃは、図３に示すように、光ディスク装置１内において、上下及び前後の位置が同一となるように配置されている。
【００２５】
更に、一方のガイド部材７２には、図４に示すように、待機位置Ｓ付近に方向規制部材７２ｄが設けられている。方向規制部材７２ｄは、内板７２ｂに回転可能に軸を連結され、ガイド溝７２ｃに突出した突起７２ｅと、回転角度を規制する規制ストッパ７２ｆが設けられている。突起７２ｅと上板２４側との間には、突起７２ｅを上板２４側に引っ張る方向に付勢するバネ７２ｇが設けられている。
【００２６】
突起７２ｅは、ガイド溝７２ｃの最上部の水平部分に位置している。そして、突起７２ｅは内板７２ｂに連結された回転軸を中心に一方向に回転されると、バネ７２ｇの弾性力によって上板２４側に引っ張られ、ガイド溝７２ｃ最上部の水平部分に位置するまで回転可能となっている。また、このとき規制ストッパ７２ｆにより、方向規制部材７２ｄの逆回転が禁止されるようになっている。
【００２７】
更にまた、一方（例えば、図１における手前）のガイド部材７２には、待機位置Ｓに検出器８２が設けられ、待避位置Ｐより若干前方の位置に検出器８３が設けられている。これらの検出器８２，８３は、それぞれ後述するディスクアシストバー７１の端部のピン７１ｂが、待機位置Ｓ又は待避位置Ｐの直前の位置にあることを検出するためのものである。
【００２８】
下板２２の内側には、ガイド部材７２と対向して長片状のアシスト駆動アーム７４が設けられている。アシスト駆動アーム７４は一方の端部に設けられた軸７４ａを中心に揺動可能に下板２２に連結されており、その軸７４ａは側板２１に対して垂直である。
【００２９】
また、アシスト駆動アーム７４の側版２１に対抗する面には、カム穴７４ｂが設けられている。カム穴７４ｂはアシスト駆動アーム７４の長手方向に延びており、側板２１方向から見たときにアシスト駆動アーム７４の全揺動範囲にわたってガイド溝７２ｃの少なくとも一部と重畳するように形成されている。
【００３０】
更に、アシスト駆動アーム７４の他方の端部には、ピン７４ｃが設けられている。そして、ピン７４ｃと後述するディスクアシストバー７１のピン７１ｂとの間はバネ７４ｄによって繋がれている。
【００３１】
側板２１に近接して形成された２つのガイド溝７２ｃの間には、補助部材として長片状のディスクアシストバー７１が架設されている。ディスクアシストバー７１の両端にはピン７１ｂが設けられ、２つのピン７１ｂが２箇所のガイド溝７２ｃにそれぞれ係合されている。即ち、長辺状のディスクアシストバー７１は、長手方向が光ディスク装置１の左右方向に平行である。なお、ディスクアシストバー７１の一方のピン７１ｂは、アシスト駆動アーム７４のカム穴７４ｂに挿通されている。
【００３２】
また、２つのガイド溝７２ｃの間に架設されるディスクアシストバー７１の中央には案内爪７１ａが下板２２に向けて延設されている。そして、案内爪７１ａの先端部は、前面板２３（スロット２３ａ側）に向けられている。更に、ディスクアシストバー７１の端部のピン７１ｂとアシスト駆動アーム７４の端部のピン７４ｃは、バネ７４ｄによって繋がれている。バネ７４ｄはピン７１ｂをアシスト駆動アーム７４のピン７４ｃに向けて近付ける方向に付勢するものである。
【００３３】
更に、下板２２には、アシスト駆動アーム７４に近接してアシスト駆動ギア７５が設けられている。アシスト駆動ギア７５は複数のギアによって構成され、それぞれの回転軸は側板２１に対して垂直である。そして、アシスト駆動アーム７４に最も近接したギア７５ａの側面にはピン７５ｂが設けられている。このピン７５ｂは、ギア７５ａの回転に伴って回転するもので、全可動範囲にわたって前述のカム穴７４ｂに係合するようになっている。
【００３４】
そして、ピン７５ｂはカム穴７４ｂ内を摺動しながら、カム機構によってアシスト駆動アーム７４を揺動軸７４ａを中心に揺動させるように構成されている。また、前述の如く、ディスクアシストバー７１の端部に設けられた一方のピン７１ｂはカム穴７４ｂに挿通されているため、アシスト駆動アーム７４の揺動に伴って、ピン７１ｂはカム穴７４ｂ内を摺動しながら、ガイド溝７２ｃに沿って移動することができる。以上のアシスト駆動アーム７４及びアシスト駆動ギア７５は、アシスト駆動部を構成する。
【００３５】
次に、図面を参照しながら本実施形態の光ディスク装置１の動作について説明する。
光ディスクが挿入されていない状態では、搬送ローラ６１は、光ディスク装置１内の上昇位置で駆動ローラ６３に接触している。また、ディスクアシストバー７１のピン７１ｂは、ガイド溝７２ｃの待機位置Ｓに位置している。
【００３６】
まず、前面板２３に設けられたスロット２３ａから光ディスクが挿入されると、上板２４に設けられた検出器８１は、光ディスクの端部を検出し、検出信号を出力する。検出器８１の検出信号は、図示しない制御部に送られる。これにより、制御部は、駆動ローラ６３を回転させる。そして、駆動ローラ６３の回転駆動力が搬送ローラ６１に伝達され、搬送ローラ６１が回転する。
【００３７】
一方、スロット２３ａから挿入された光ディスクは、搬送ローラ６１に接触すると、その回転駆動力によってターンテーブル３２側に搬送される。このとき、搬送される光ディスクは、搬送ローラ６１によって上方に押し上げられ、ディスクガイド５に設けられた傾斜面に当接しながら、ターンテーブル３２へ向かう。
【００３８】
次に、図５（ａ）に示すように、光ディスクの端部がディスクアシストバー７１の位置まで搬送され、この光ディスクの端部が案内爪７１ａを押すと、ディスクアシストバー７１のピン７１ｂが待機位置Ｓから離れる。そして、検出器８２はピン７１ｂが待機位置Ｓから移動したことを検出する。検出器８２の検出信号は、制御部に送られる。そして、制御部は、アシスト駆動ギア７５を回転させる。
【００３９】
アシスト駆動ギア７５が回転されると、カム機構によって揺動軸７４ａを中心にアシスト駆動アーム７４が揺動される。アシスト駆動アーム７４の揺動により、ディスクアシストバー７１のピン７１ｂがカム穴７４ｂ内を摺動しながら、ガイド溝７２ｃに沿って移動する。なお、このとき待機位置Ｓ付近に設けられた方向規制部材７２ｄの突起７２ｅは、バネ７２ｇの弾性力によってガイド溝７２ｃ最上部の水平部分に位置する。従って、ピン７１ｂは、ガイド溝７２ｃの待機位置Ｓから下方に傾斜した方向のみに移動することができるので、アシスト駆動アーム７４との間に設けられたバネ７４ｄを引っ張りながら下後方へと移動する。
【００４０】
ディスクアシストバー７１のピン７１ｂは、下後方へと移動された後、ガイド部材７２のガイド溝７２ｃに沿って後方へと水平移動する。この間、光ディスクは、ディスクアシストバー７１の案内爪７１ａの前面に当接しながら後方へ移動する。
【００４１】
次に、ディスクアシストバー７１のピン７１ｂは、ガイド部材７２のガイド溝７２ｃに沿って再度下後方へと移動する。そして、ピン７１ｂがガイド溝７２ｃの最下端に到達するまでの間、光ディスクの前端部は搬送ローラ６１に支持され、光ディスクの後端部は案内爪７１ａに当接しながら、光ディスクはターンテーブル３２へと搬送される。
【００４２】
図５（ｂ）に示すように、ディスクアシストバー７１のピン７１ｂがガイド溝７２ｃに沿って後方に水平移動し、待避位置Ｐに到達する直前に、ガイド溝７２ｃの最下端部に設けられた検出器８３の位置に到達する。そして、検出器８３はピン７１ｂが待避位置Ｐの直前の位置にあることを検知する。
【００４３】
検出器８３の検出信号は制御部に送られる。これにより、制御部は駆動ローラ６３を停止すると共に、ローラレバー６２を介して搬送ローラ６１を下降させる。そして、この間に光ディスクは、ターンテーブル３２上に載置されて固定される。
【００４４】
図６（ａ）に示すように、制御部は、ディスクアシストバー７１のピン７１ｂが待避位置Ｐに到達するまでアシスト駆動ギア７５を駆動させた後、このアシスト駆動ギア７５を停止させる。また、ディスクアシストバー７１のピン７１ｂが待避位置Ｐにある間、ディスクアシストバー７１と搬送ローラ６１は、ターンテーブル３２上に載置された光ディスクと干渉しない位置に移動している。従って、光ディスクがターンテーブル３２上で回転駆動される間、搬送ローラ６１やディスクアシストバー７１が光ディスクの回転を妨げることはない。
【００４５】
光ディスクの排出時に、前面板２３に設けられたイジェクトボタン４が押されると、この指示入力信号が制御部に送られる。そして、制御部はアシスト駆動ギア７５を再び駆動させる。
【００４６】
アシスト駆動ギア７５が駆動されると、カム機構によってアシスト駆動アーム７４が揺動される。そして、この揺動によってディスクアシストバー７１のピン７１ｂがガイド部材７２のガイド溝７２ｃに沿って停止前と同一方向に再度移動を開始する。
【００４７】
このとき、制御部は、下方に位置している搬送ローラ６１をローラレバー６２を介して上昇させると共に、駆動ローラ６３を回転駆動させる。なお、駆動ローラ６３の回転方向は光ディスクの挿入時とは逆方向である。また、搬送ローラ６１が上昇する間に、光ディスクの前端部は搬送ローラ６１に支持されながら上昇する。
【００４８】
一方、ディスクアシストバー７１のピン７１ｂがガイド溝７２ｃの最後方までくると、ピン７１ｂはバネ７４ｃの弾性力によって上方に引き上げられる。そして、ピン７１ｂはガイド溝７２ｃに沿って上前方へと移動する。
【００４９】
その後、ピン７１ｂはガイド溝７２ｃに沿って前方へ水平移動し、再度上前方へと移動する。このとき、図６（ｂ）に示すように、ディスクアシストバー７１の案内爪７１ａが光ディスクの後端に当接し、図７（ａ）に示すように、案内爪７１ａの先端が光ディスクの後端を上方へと持ち上げる。また、光ディスクの前端は搬送ローラ６２によって支持されながら、搬送ローラ６１の揺動に伴って上方へ持ち上げられる。
【００５０】
そして、搬送ローラ６１が駆動ローラ６３に接触すると、この駆動ローラ６３の回転駆動力が搬送ローラ６１に伝達され、光ディスクはスロット２３ａへと搬送される。このとき、搬送される光ディスクは、搬送ローラ５１によって下方を支持されると共に、ディスクガイド５に設けられた傾斜面に当接しながら、スロット２３ａへ向かう。
【００５１】
一方、ガイド溝７２ｃに沿って移動していたディスクアシストバー７１のピン７１ｂが、方向規制部材７２ｄに接触すると、この方向規制部材７２ｄの突起７２ｅはピン７１ｂに押されて回転する。そして、突起７２ｅによって待機位置Ｓから下方に傾斜したガイド溝７２ｃの経路が閉塞される。これにより、図７（ｂ）に示すように、ピン７１ｂは水平に移動して待機位置Ｓに到達する。
【００５２】
ピン７１ｂが待機位置Ｓに到達すると、光ディスクの後端はディスクアシストバーの案内爪７１ａから外れる。そして、光ディスクは搬送ローラ６１とディスクガイド５との間に挟持されながら、この搬送ローラ６１によってスロット２３ａへと搬送される。
【００５３】
一方、ガイド溝７２ｃの待機位置Ｓに設けられた検出器８２は、ピン７１ｂが待機位置Ｓに到達したことを検出し、その検出信号が制御部に送られる。これにより、制御部はアシスト駆動ギア６３の駆動を停止する。従って、ディスクアシストバー７１は、次に光ディスクが挿入されて案内爪７１ａに接触するまで、待機位置Ｓから移動せずにその状態に保持される。
【００５４】
更に、光ディスクが搬送ローラ６１によって搬送され、スロット２３ａから排出されると、このスロット２３ａに近接して設けられた検出器８１が光ディスクの端部の通過を検出する。検出器８１の検出信号は制御部に送られる。そして、制御部は駆動ローラ６３の駆動を停止する。従って、次に光ディスクが挿入され、検出器８１が光ディスクの挿入を検出するまで、駆動ローラ６３はこの位置から移動せずにその状態に保持される。
【００５５】
以上詳細に説明したように、第１の実施形態の光ディスク装置１は、光ディスクの排出時に光ディスク後端を下方から持ち上げるディスクアシストバー７１を備えている。これにより、光ディスクが山笠状に変形している場合でも、光ディスクを円滑に排出することができる。
【００５６】
更に、ディスクアシストバー７１の案内爪７１ａは、光ディスクの端部だけを持ち上げるようになっているので、信号記録面に傷がつくおそれはなく、光ディスク装置１内部から光ディスクを取り出す際に、光ディスクの信号記録面に傷が発生して、読み取り不良が発生することを防止することができる。
【００５７】
上述したように、本発明の第１の実施形態に係る光ディスク装置１は、ディスクアシストバー７１がカム機構を構成するアシスト駆動ギア７５及びアシスト駆動アーム７４による能動的駆動力によって動作する。なお、光ディスクの排出を補助する部材の側軌跡が、光ディスク挿入時に比して排出時の方が高い位置であれば、以下の第２〜第４の実施形態に示すように、本発明を適用することが可能である。
【００５８】
〔第２の実施形態〕
第２の実施形態は、第１の実施形態とは形状の異なるアシスト部材９１とガイド部材９２を用いたものである。
例えば、図８に示すように、周回軌跡に沿って高低差を有するガイド部材９２が上板２４に設けられる。ガイド部材９２は、外枠９２ａと内板９２ｂで構成され、これらの外枠９２ａと内板９２ｂの間が、一定幅のガイド溝９２ｃとなっている。更に、外枠９２ａと内板９２ｂの上部には、光ディスクを案内するアシスト部材９１の上部が架設され、光ディスクを案内する案内爪９１ａがガイド溝９２ｃから下方に移動可能に吊設されている。また、案内爪９１ａの上部は、上板２４に向けて引っ張る方向に付勢するバネ９３で上板２４と連結されている。
【００５９】
この光ディスク装置では、光ディスクの挿入時に、搬送ローラによる駆動力を利用して、案内爪９１ａがガイド溝９２ｃに沿って待機位置Ｓから待避位置Ｐへと移動される。また、光ディスクの排出時には、案内爪９１ａと上板２４との間に設けられたバネ９３の弾性力によって、この案内爪９１ａがガイド溝９２ｃに沿って上方に移動され、その移動途中で光ディスクの後端が持ち上げられる。
【００６０】
〔第３の実施形態〕
第３の実施形態は、第１の実施形態におけるアシスト部材とガイド部材に代えて、タック部材９４と回転体９５を用いたものである。
図９に示すように、光ディスクの挿入方向に延びるラック部材９４が上板２４に設けられ、このラック部材９４の全周にわたって高低差を有するラック部が形成されている。回転体９５は、ラック部材９４に噛合するピニオン９５ａと、全周にわたって光ディスクを案内する案内爪９５ｂを共通の回転軸上に形成したものである。更に、回転体９５と上板２４との間に、この回動体９５を上板２４側に引っ張る方向に付勢するバネ９６が設けられる。この光ディスク装置では、回動体９５がピニオン９５ａ面でラック部材９４に接触しながら、このラック部材９４の周囲を回動することによって、案内爪９５ｂが上下方向に摺動移動し、光ディスクの後端を持ち上げるようになっている。
【００６１】
〔第４の実施形態〕
第４の実施形態は、第１の実施形態におけるアシスト部材とガイド部材に代えて、アーム９７とガイド体９８を用いたものである。
図１０に示すように、先端に案内爪９７ａを有するアーム９７が回転可能に下板２２に連結される。そして、アーム９７の連結軸９７ｂの側面にはピン９７ｃが設けられている。更に、アーム９７は上板２４の方向に引っ張る方向に付勢するバネ９９ａによって上板２４に繋がれている。また、連結軸９７ｂの下方にはアーム９７を下板２２から遠ざかる方向に付勢するバネ９９ｂが設けられる。更に、ピン９７ｃを係合するカム溝９８ａを備えるガイド体９８が下板２２に固定されている。なお、カム溝９８ａが設けられた面は連結軸９７ｂの側面の一部と対向するように設けられている。
【００６２】
この光ディスク装置では、光ディスクの挿入時に、搬送ローラの駆動力を利用して、光ディスクを介してアーム９７の連結軸９７ｂに設けられたピン９７ｃが、カム溝９８ａに沿って回動して下方に移動され、待機位置Ｓから待避位置Ｐへと移動する。そして、ピン９７ｃが、カム溝９８ａの終端に到達すると、このカム溝９８ａから外れる。このとき、連結軸９７ｂと下板２２との間に設けられたバネ９９ａによって、アーム９７は上方に移動する。また、アーム９７は、上板２４の方向に引っ張るバネ９９ｂによって待機位置Ｓへと戻される。この間に、光ディスクの後端が、アーム９７の先端の案内爪９７ａによって持ち上げられる。
【図面の簡単な説明】
【００６３】
【図１】本発明の第１の実施形態に係る光ディスク装置の一部を示す斜視図である。
【図２】図１の側面図である。
【図３】図１のＸ断面図である。
【図４】図１のガイド溝と方向規制部材を示す側面図である。
【図５】図１の動作状態を示す側面図（その１）である。
【図６】図１の動作状態を示す側面図（その２）である。
【図７】図１の動作状態を示す側面図（その３）である。
【図８】本発明の第２の実施形態に係る光ディスク装置の一部を示す斜視図である。
【図９】本発明の第３の実施形態に係る光ディスク装置の一部を示す斜視図である。
【図１０】本発明の第４の実施形態に係る光ディスク装置の一部を示す斜視図である。
【符号の説明】
【００６４】
１  光ディスク装置
２  筐体
３  回転駆動部
４  イジェクトボタン
５  ディスクガイド
７  補助部材
２３ａ  スロット
６１  搬送ローラ
７１  ディスクアシストバー
７１ｂ，７４ｃ，７５ｂ  ピン
７２  ガイド部材
７２ａ  外枠
７２ｂ  内板
７２ｃ  ガイド溝
７２ｄ  方向規制部材
７２ｇ，７４ｄ  バネ
７４  アシスト駆動アーム
７４ｂ  カム穴
７５  アシスト駆動ギア
７５ａ  ギア
８１〜８３  検出器
【図１】
2010073254.tif 000003
【図２】
2010073254.tif 000004
【図３】
2010073254.tif 000005
【図４】
2010073254.tif 000006
【図５】
2010073254.tif 000007
【図６】
2010073254.tif 000008
【図７】
2010073254.tif 000009
【図８】
2010073254.tif 000010
【図９】
2010073254.tif 000011
【図１０】
2010073254.tif 000012